(57)【要約】【課題】収納家具を使用する際の動作効率の低下を防止しつつ、収納部へのタオルの挟みこみを防止することのできる装置等を提供する。【解決手段】タオル挟みこみ防止装置５は、キッチン台１のタオル掛止具４に掛止されたタオル９の下端に着脱自在に結合されるタオル結合部５１と、キッチン台１の引出し３に取付けられた収納部固定部５３と、タオル結合部５１と収納部固定部５３との間に設けられた弾性部材５２とを備えている。引出し３を開けると、弾性部材５２は引き延ばされ、弾性部材５２の弾性復元力に応じた張力がタオル９に付与される。この状態から引出し３を閉める際も、弾性部材５２からタオル９に張力が付与されているため、開口部１０にタオル９が入り込んで挟みこまれてしまうことはない。【選択図】  図３
2019097715.tif 000002
【特許請求の範囲】
【請求項１】
開け閉め可能な収納部の上方にタオル掛止具が設けられた収納家具における前記収納部の開け閉めに伴う前記収納部へのタオルの挟みこみを防止する装置であって、
前記タオル掛止具に掛止されたタオルに張力を付与することで、当該収納部の開口部へのタオルの侵入を防ぐよう構成されたこと、
を特徴とするタオル挟みこみ防止装置。
【請求項２】
請求項１のタオル挟みこみ防止装置において、
前記タオル掛止具に掛止されたタオルの下端に着脱自在に結合されるタオル結合部と、
前記タオル結合部を介してタオルに張力を付与する張力付与部と、
を備えたこと、
を特徴とするタオル挟みこみ防止装置。
【請求項３】
請求項２のタオル挟みこみ防止装置において、
前記張力付与部は、前記タオル結合部と前記収納部との間に設けられる弾性部材を備えたこと、
を特徴とするタオル挟みこみ防止装置。
【請求項４】
請求項１のタオル挟みこみ防止装置において、
前記タオル掛止具に掛止されたタオルに対して所定の摩擦係数で接するとともに水平方向の回転軸を有する筒状表面、を備えた筒状回転体と、
前記筒状表面を介してタオルに張力を付与する方向の回転力を前記筒状回転体に付与する回転力付与部と、
を備えたこと、
を特徴とするタオル挟みこみ防止装置。
【請求項５】
請求項４のタオル挟みこみ防止装置において、
前記回転力付与部は、前記筒状回転体と前記収納部との間に設けられる弾性部材を備えたこと、
を特徴とするタオル挟みこみ防止装置。
【請求項６】
請求項１ないし５のいずれかのタオル挟みこみ防止装置を備えたこと、
を特徴とする収納家具。
【発明の詳細な説明】
【技術分野】
【０００１】
この発明は、収納家具におけるタオルの挟みこみを防止する技術に関する。
【背景技術】
【０００２】
キッチン台等の収納家具において、収納部の上方に設けられた掛止具を、収納家具前面上部に設けたレール部にスライド自在に係止するよう構成した技術が提案されている。このように構成すれば、掛止具をレール部に沿ってスライドさせることにより、掛止具に掛けられたタオル等の長尺物等を移動することができるので、いつでも収納部の開閉位置から長尺物等を待避させることができる（特許文献１の［０００６］等、図１等参照）。このため、開け閉め可能な収納部の開閉に際し、扉などにタオルが挟みこまれてしまうことを防止することができる。
【０００３】
ところで、たとえばキッチン台を用いて炊事や後片付け等の作業を行う際に、作業者の移動を少なくして動作効率（作業効率）を上げるためには、頻繁に開閉される収納部とタオルとを、同じ位置か、できるだけ近い位置に配置することが望ましい。
【０００４】
しかし、上記の収納家具において、収納部とタオルとをそのような位置関係に配置すると、収納部を開閉する前にタオルを退避させる動作が必要となることから、かえって作業全体の動作効率が低下する。とくに、タオルの使用と収納部の開閉が、交互に繰り返し行われるような作業においては、動作効率の低下は顕著となる。
【先行技術文献】
【特許文献】
【０００５】
【特許文献１】特開２００６−２６２５１号公報
【発明の概要】
【発明が解決しようとする課題】
【０００６】
この発明は、このような従来の技術の問題を解決し、収納家具を使用する際の動作効率の低下を防止しつつ、収納部へのタオルの挟みこみを防止することのできる装置等を提供することを目的とする。
【課題を解決するための手段】
【０００７】
この発明によるタオル挟みこみ防止装置は、開け閉め可能な収納部の上方にタオル掛止具が設けられた収納家具における収納部の開け閉めに伴う収納部へのタオルの挟みこみを防止する装置であって、タオル掛止具に掛止されたタオルに張力を付与することで、収納部の開口部へのタオルの侵入を防ぐよう構成されたこと、を特徴とする。
【０００８】
本発明の特徴は、上記のように広く示すことができるが、その構成や内容は、目的および特徴とともに、図面を考慮に入れた上で、以下の開示によりさらに明らかになるであろう。
【発明の効果】
【０００９】
本願の第１発明によるタオル挟みこみ防止装置は、開け閉め可能な収納部の上方にタオル掛止具が設けられた収納家具における収納部の開け閉めに伴う収納部へのタオルの挟みこみを防止する装置であって、タオル掛止具に掛止されたタオルに張力を付与することで、収納部の開口部へのタオルの侵入を防ぐよう構成されたこと、を特徴とする。
【００１０】
収納部の開口部へのタオルの侵入を防ぐよう構成することで、収納部とタオルとの位置関係に拘らず、収納部へのタオルの挟みこみを防止することが可能となる。
【００１１】
このため、収納部へのタオルの挟みこみを気にすることなく、収納部の開け閉め、収納物の出し入れ、タオルの使用等の動作を総合的に考慮して、最も動作効率の高い位置にタオルを配置することが可能となる。
【００１２】
すなわち、収納家具を使用する際の動作効率の低下を防止しつつ、収納部へのタオルの挟みこみを防止することのできる装置を実現することができる。
【００１３】
本願の第２発明によるタオル挟みこみ防止装置は、本願の第１発明によるタオル挟みこみ防止装置において、タオル掛止具に掛止されたタオルの下端に着脱自在に結合されるタオル結合部と、前記タオル結合部を介してタオルに張力を付与する張力付与部と、を備えたこと、を特徴とする。
【００１４】
タオルの下端に結合されるタオル結合部を介してタオルに張力を付与することで、タオル掛止具に掛止されたタオルの全長にわたり張力を付与することが可能となる。
【００１５】
このため、収納部の種類に拘らず、たとえば、引出しを備えた収納部や開き戸を備えた収納部であっても、収納部の開口部へのタオルの侵入を防ぐことが容易となる。
【００１６】
本願の第３発明によるタオル挟みこみ防止装置は、本願の第２発明によるタオル挟みこみ防止装置において、張力付与部は、タオル結合部と収納部との間に設けられる弾性部材を備えたこと、を特徴とする。
【００１７】
タオル結合部と収納部との間に作用する弾性部材の弾性復元力を利用することで、比較的単純な構造の装置を用いて、タオルに張力を付与することが可能となる。
【００１８】
本願の第４発明によるタオル挟みこみ防止装置は、本願の第１発明によるタオル挟みこみ防止装置において、タオル掛止具に掛止されたタオルに対して所定の摩擦係数で接するとともに水平方向の回転軸を有する筒状表面、を備えた筒状回転体と、筒状表面を介してタオルに張力を付与する方向の回転力を筒状回転体に付与する回転力付与部と、を備えたこと、を特徴とする。
【００１９】
筒状表面を介してタオルに張力を付与するよう構成することで、タオル掛止具に掛止されたタオルのうち筒状表面に接している部分より上方の部分には張力が付与され、下方の部分には張力が付与されない。
【００２０】
このため、筒状回転体の設置位置を適当に調整することで、掛止されたタオルのうち、張力の付与された部分が収納部の開口部にくるよう配置して、開口部へのタオルの侵入を防ぐとともに、それより下方の張力が付与されずに垂れ下がっている部分を利用して、容易に手などを拭くことできる。
【００２１】
したがって、収納部を開けた状態であってもタオルで手などを拭く動作が容易となる。
【００２２】
本願の第５発明によるタオル挟みこみ防止装置は、本願の第４発明によるタオル挟みこみ防止装置において、回転力付与部は、筒状回転体と収納部との間に設けられる弾性部材を備えたこと、を特徴とする。
【００２３】
筒状回転体と収納部との間に作用する弾性部材の弾性復元力を利用して筒状回転体に回転力を付与することで、比較的単純な構造の装置を用いて、タオルに張力を付与することが可能となる。
【００２４】
本願の第６発明による収納家具は、本願の第１ないし第５のいずれかの発明によるタオル挟みこみ防止装置を備えたこと、を特徴とする。
【００２５】
したがって、この収納家具は、上記第１ないし第５のいずれかの発明と同様の効果を奏する。
【図面の簡単な説明】
【００２６】
【図１】図１は、タオル挟みこみ防止装置５を備えたキッチン台１の構成を示す正面図である。
【図２】図２は、キッチン台１の横断面を模式的に示す図面である。
【図３】図３は、キッチン台１の引出し３を開けたときの状況を示す図面である。
【図４】図４は、タオル挟みこみ防止装置５を備えたキッチン台１０１の構成を示す正面図である。
【図５】図５は、タオル挟みこみ防止装置６を備えたキッチン台２０１の正面図の部分拡大図である。
【図６】図６は、キッチン台２０１の横断面を模式的に示す図面である。
【図７】図７は、キッチン台２０１の引出し３を開けたときの状況を示す図面である。
【図８】図８は、タオル挟みこみ防止装置６を備えたキッチン台３０１の構成を示す部分断面図である。
【発明を実施するための形態】
【００２７】
まず、この発明の一の実施形態によるタオル挟みこみ防止装置５を備えた収納家具であるキッチン台１について説明する。
【００２８】
図１はキッチン台１の正面図、図２はキッチン台１の横断面を模式的に示す図面である。図１および図２に示すように、キッチン台１は、略直方体箱状の本体２と、本体２の略中央に配置された収納部である引出し３とを備えている。本体２の上部（図中Ｚ１方向の部分）に配置された天板２３の適部にシンク２４、水栓２５が配置されている。
【００２９】
本体２の前面（図中Ｙ２側の面）は、上部から、上部幕板２１、引出し３の前板３１、下部幕板２２の順に配置されている。
【００３０】
引出し３は、上部が解放された略直方体箱上の収納室３３を備えており、前板３１は、収納室３３の前面部分を構成している。前板３１の上部には、断面凹状の引手３４が左右方向（図中Ｘ方向）略全域にわたり配置されている。引手３４に手をかけ、本体２に対し、収納室３３を前後方向（図中Ｙ方向）に移動させることで、引出し３を開け閉めすることができる。
【００３１】
上部幕板２１の上部には、左右方向を長手方向とする一対のタオル掛止具４、４が設けられている。それぞれのタオル掛け具４に、タオル９を掛けることができる。タオル９は、たとえば、その長手方向の略中央で２つ折りにして、タオル掛け具４に掛けることができる。
【００３２】
図１、図２に示すように、タオル挟みこみ防止装置５は、タオル結合部５１、張力付与部である弾性部材５２、収納部固定部５３を備えている。
【００３３】
タオル結合部５１は、タオル掛止具４に掛止されたタオル９の下端に着脱自在に結合される。タオル結合部５１の構成はとくに限定されるものではないが、この例では、断面略Ｕ字状の弾性を有するクリップにより構成している。Ｕ字状の空間にタオル９の下端を挟みこんで、クリップの弾性復元力を利用することで、タオル結合部５１を、タオル９の下端に結合する。
【００３４】
タオル結合部５１の左右方向（すなわち、タオル掛止具４に掛止されたタオル９の下辺に沿う方向）の寸法はとくに限定されるものではないが、タオル９の下辺の長さの１／２倍ないし１倍が好ましい。このように構成することで、タオル９の広範囲にわたって張力を付与することが可能となるからである。
【００３５】
タオル結合部５１の材質はとくに限定されるものではないが、たとえば、合成樹脂や金属を用いることができる。
【００３６】
また、タオル結合部５１として、洗濯ばさみのように、複数の部材を組み合わせて構成されたクリップを用いることもできる。
【００３７】
収納部固定部５３は、引出し３に取付けられている。収納部固定部５３を、引出し３のどの部分に取り付けるかは、とくに限定されるものではないが、この例では、引出し３の前板３１の下端に取付けるよう構成している。もちろん、収納部固定部５３を、前板３１の高さ方向（図中Ｚ方向）の中間部分に取付けるよう構成することもできる。
【００３８】
収納部固定部５３の引出し３への取付け方法はとくに限定されるものではないが、この例では、収納部固定部５３を断面略Ｌ字状のフックとしている。このフック部分を前板３１の下端に引っかけることで、収納部固定部５３を引出し３に取付けるよう、構成している。
【００３９】
収納部固定部５３の形状、寸法はとくに限定されるものではないが、この例では、薄板状の部材を用い、前板３１の下端と下部幕板２２の上端との隙間に入るよう構成している。また、収納部固定部５３の材質はとくに限定されるものではないが、たとえば、金属や合成樹脂を用いることができる。
【００４０】
この例では、収納部固定部５３は、引出し３に対して固定的に設けるよう構成している。固定方法はとくに限定されるものではないが、接着、ビス止め、磁石等による固定のほか、収納部固定部５３を引出し３と一体的に形成するよう構成することもできる。
【００４１】
一方、収納部固定部５３を、引出し３に対して固定することなく、着脱自在とするよう構成することもできる。このように構成すれば、タオル９を掛けるタオル掛止具４の位置に応じて、収納部固定部５３の位置を変更することができ、好都合である。また、タオル挟みこみ防止装置５を使用しない場合は、キッチン台１から取り外しておくことも可能となる。
【００４２】
弾性部材５２は、タオル結合部５１と収納部固定部５３との間に設けられている。弾性部材５２の構成はとくに限定されるものではないが、この例では、その両端が、それぞれタオル結合部５１および収納部固定部５３に固定された引張りコイルバネにより構成している。引張りコイルバネの材質はとくに限定されるものではないが、金属や合成樹脂を用いることができる。
【００４３】
もちろん、弾性部材５２として、ゴムひもや、ぜんまいばね等により巻き取り方向に付勢されたリール式の巻き取り式ワイヤ等を用いることもできる。
【００４４】
つぎに、タオル挟みこみ防止装置５の動作について説明する。図３は、引出し３を開けた（手前側に引き出した）ときの状況を示す図面である。図１、図２に示すように、引出し３が閉まっている状況においては、弾性部材５２は、僅かに引っ張られた状態になるよう構成されている。すなわち、タオル９には、張力が僅かに作用している。
【００４５】
もっとも、引出し３が閉まっている状況において、弾性部材５２が縮み切った状態になるよう構成することもできる。このように構成すると、タオル９には、張力が全く作用しないことになる。
【００４６】
また、引出し３が閉まっている状況において、弾性部材５２が、縮み切った状態か、僅かに引っ張られた状態か、いずれかの状態になるよう構成することもできる。このように構成すると、引出し３が閉まっている状況においては、タオル９には張力が略作用していない（すなわち、タオル９には、張力が全く作用していないか、僅かに作用している）ことになる。
【００４７】
図１、図２に示す状況から引出し３を開けると、図３に示すように、弾性部材５２は引き延ばされ、弾性部材５２の弾性復元力に応じた張力がタオル９に付与される。このため、引出し３の開口部１０にタオル９が垂れ下がって入り込むことはない。そして、この状態から引出し３を閉める際も、弾性部材５２からタオル９に張力が付与されているため、開口部１０にタオル９が入り込んで挟みこまれてしまうことはない。
【００４８】
つぎに、図４は、タオル挟みこみ防止装置５を備えたキッチン台１０１の構成を示す正面図である。キッチン台１０１は、収納部として、引出し３（図１参照）に替えて、開き戸棚１０３を備えている点で、上述のキッチン台１と異なる。
【００４９】
開き戸棚１０３は、キッチン台１０１の内部の略中央に配置された収納室１０３３と、収納室１０３３の前面を覆う横開きの開き戸（この例では、観音開きの一対の開き戸１０３１、１０３２）とを備えている。各開き戸１０３１、１０３２には、それぞれ、引手１０３４、１０３５が設けられている。キッチン台１０１のその余の構成は、上述のキッチン台１のそれと同様である。
【００５０】
キッチン台１０１に備えられたタオル挟みこみ防止装置５の構成は、上述のキッチン台１に備えられているタオル挟みこみ防止装置５と同様である。キッチン台１０１においては、タオル挟みこみ防止装置５の収納部固定部５３は、タオル９の掛止されるタオル掛止具４側の開き戸１０３１に取付けられている。
【００５１】
収納部固定部５３を、開き戸１０３１のどの部分に取り付けるかは、とくに限定されるものではないが、この例では、開き戸１０３１の下端に取付けるよう構成している。もちろん、収納部固定部５３を、開き戸１０３１の高さ方向（図中Ｚ方向）の中間部分に取付けるよう構成することもできる。
【００５２】
キッチン台１０１におけるタオル挟みこみ防止装置５の動作は、上述のキッチン台１におけるそれと同様であるので、説明を省略する。
【００５３】
なお、上述の各実施形態においては、タオル挟みこみ防止装置の張力付与部が、タオル結合部と収納部との間に設けられた弾性部材を備えた場合を例に説明したが、張力付与部の構成はこれに限定されるものではない。
【００５４】
たとえば、張力付与部として、電動モータを備えた構成とすることができる。この場合、たとえば、収納部の開閉を検知するセンサを設けておき、センサにより収納部が開状態にあることが検知されると、モータを駆動し、モータの回転力を利用してタオル結合部と収納部との間に張力を付与するよう構成することができる。
【００５５】
また、たとえば、張力付与部として、重錘を備えた構成とすることができる。この場合、たとえば、タオル結合部に重錘を吊るしておき、重錘に作用する重力を利用することで、タオル結合部を介して、タオルに張力を付与するよう構成することができる。この場合、さらに、張力付与部である重錘とタオル結合部とを一体化するよう構成することもできる。
【００５６】
つぎに、この発明の他の実施形態によるタオル挟みこみ防止装置６を備えた収納家具であるキッチン台２０１について説明する。
【００５７】
図５はキッチン台２０１の正面図の部分拡大図、図６はキッチン台２０１の横断面を模式的に示す図面である。図５および図６に示すように、キッチン台２０１は、タオル挟みこみ防止装置５（図１参照）に替えて、タオル挟みこみ防止装置６を備えている点で、上述のキッチン台１と異なる。キッチン台２０１のその余の構成は、上述のキッチン台１のそれと同様である。
【００５８】
図５、図６に示すように、タオル挟みこみ防止装置６は、筒状回転体６１、回転力付与部である弾性部材６２、収納部固定部６３、固定軸６４を備えている。
【００５９】
筒状回転体６１の表面は、略円筒状の筒状表面６１ａを構成している。筒状表面６１ａは、タオル掛止具４に掛止されたタオル９に対して所定の摩擦係数で接するとともに水平方向（この例では左右方向、すなわち、タオル掛止具４に掛止されたタオル９の下辺に沿う方向）を長手方向とする回転軸を有するよう構成されている。
【００６０】
筒状表面６１ａの左右方向の寸法はとくに限定されるものではないが、タオル９の下辺の長さの１／２倍ないし１倍が好ましい。このように構成することで、タオル９の広範囲にわたって張力を付与することが可能となるからである。
【００６１】
筒状表面６１ａの形状、材質はとくに限定されるものではないが、たとえば、適度な粗さの凹凸を持たせたり、シリコンゴムを使用したりするなどして、タオルとの間で所定の摩擦係数で接することができるよう構成される。
【００６２】
収納部固定部６３は、引出し３に取付けられている。収納部固定部６３を、引出し３のどの部分に取り付けるかは、とくに限定されるものではないが、この例では、引出し３の前板３１の上端に取付けるよう構成している。もちろん、収納部固定部６３を、前板３１の高さ方向（図中Ｚ方向）の中間部分に取付けるよう構成することもできる。
【００６３】
収納部固定部６３の引出し３への取付け方法はとくに限定されるものではないが、この例では、収納部固定部６３を、断面逆略Ｌ字状のフック部分６３ａと、フック部分６３ａの左右端から前方（図６のＹ２方向）に突設した一対の側方支持板６３ｂを備えた構成とし、このフック部分６３ａを前板３１の上端に引っかけることで、収納部固定部６３を引出し３に取付けるよう、構成している。
【００６４】
一対の側方支持板６３ｂの間に略柱状の固定軸６４が配置され、固定軸６４は一対の側方支持板６３ｂに対して回動不能に支持されている。
【００６５】
筒状回転体６１は、一対の側方支持板６３ｂの間に配置され、固定軸６４に対して回動可能に支持されている。
【００６６】
収納部固定部６３の形状、寸法はとくに限定されるものではないが、この例では、薄板状の部材を用い、フック部分６３ａが、前板３１の上端と上部幕板２１の下端との隙間に入るよう構成している。また、収納部固定部６３の材質はとくに限定されるものではないが、たとえば、金属や合成樹脂を用いることができる。
【００６７】
この例では、収納部固定部６３は、引出し３に対して固定的に設けるよう構成している。固定方法はとくに限定されるものではないが、接着、ビス止め、磁石等による固定のほか、収納部固定部６３を引出し３と一体的に形成するよう構成することもできる。
【００６８】
一方、収納部固定部６３を、引出し３に対して固定することなく、着脱自在とするよう構成することもできる。このように構成すれば、タオル９を掛けるタオル掛止具４の位置に応じて、収納部固定部６３の位置を変更することができ、好都合である。また、タオル挟みこみ防止装置６を使用しない場合は、キッチン台２０１から取り外しておくことも可能となる。
【００６９】
弾性部材６２は、筒状回転体６１と収納部固定部６３との間に設けられている。弾性部材６２の構成はとくに限定されるものではないが、この例では、その両端を、それぞれ筒状回転体６１および固定軸６４に固定されたぜんまいばねにより構成している。このぜんまいばねは、筒状回転体６１の内部空間に配置されている。
【００７０】
筒状回転体６１には、筒状表面６１ａを介して、タオル掛止具４に掛止されたタオル９に張力を付与する方向（図中Ｒ１方向）の回転力が、弾性部材６２の弾性復元力により与えられている。この例では、筒状回転体６１のＲ１方向の回転力を所定値以上に維持するために、弾性部材６２の過度の開放を制限するストッパ（図示せず）を設けている。このように構成することで、筒状回転体６１の初期位置（Ｒ１方向の回転端）近傍においてもＲ１方向の所定の回転力を得ることができる。
【００７１】
ぜんまいばねの材質はとくに限定されるものではないが、金属や合成樹脂を用いることができる。もちろん、弾性部材６２として、ねじりコイルばね等を用いることもできる。
【００７２】
つぎに、タオル挟みこみ防止装置６の動作について説明する。図７は、引出し３を開けた（手前側に引き出した）ときの状況を示す図面である。図５、図６に示すように、引出し３が閉まっている状況においては、筒状回転体６１は略初期位置にあり、筒状表面６１ａは、タオル掛止具４に掛止されたタオル９に浅い角度で当接する状態となっている。もちろん、引出し３が閉まっている状況において、筒状回転体６１を初期位置とするとともに、筒状表面６１ａは、タオル掛止具４に掛止されたタオル９に全く当接しない状態となるよう構成することもできる。
【００７３】
図５、図６に示す状況から引出し３を開けて行くと、図７に示すように、タオル９と筒状表面６１ａとの間に生ずる摩擦力により、筒状回転体６１は弾性部材６２の付勢力に抗してＲ２方向に回転させられ、これに伴い、弾性部材６２はさらに巻き込まれて蓄勢される。この結果、弾性部材６２の弾性復元力に基づく筒状回転体６１のＲ１方向の回転力が、筒状表面６１ａを介して、タオル９に付与される。
【００７４】
これにより、タオル９の上部９ａ、すなわち、タオル９のうち、タオル掛止具４から筒状平面６１ａとの当接部までの部分、に張力が付与される。このため、引出し３の開口部１０にタオル９が垂れ下がって入り込むことはない。そして、この状態から引出し３を閉める際も、筒状表面６１ａを介して、タオル９に張力が付与されているため、開口部１０にタオル９が入り込んで挟みこまれてしまうことはない。
【００７５】
このように、タオル９と筒状平面６１ａとの間の摩擦係数（静摩擦係数）と、弾性部材６２のバネ特性を適当に調整することで、引出し３の開閉に際し、タオル９と筒状平面６１ａとの間における滑りを略なくするとともに、引出し３を閉める際に、引出し３の開口部１０にタオル９が垂れ下がって入り込まない程度の張力をタオル９に付与することが可能となる。
【００７６】
なお、タオル９の下部９ｂには張力が作用していないため、引出し３を開けた状態であっても、この部分で手などを拭うことができ、好都合である。
【００７７】
つぎに、図８は、タオル挟みこみ防止装置６を備えたキッチン台３０１の構成を示す部分断面図である。キッチン台３０１は、収納部として、引出し３（図７参照）に替えて、開き戸棚３０３を備えている点で、上述のキッチン台２０１と異なる。
開き戸棚３０３は、キッチン台３０１の内部の略中央に配置された収納室３０３３と、収納室３０３３の前面を覆う上開きの開き戸３０３１とを備えている。開き戸３０３１には、引手３０３４が設けられている。キッチン台３０１のその余の構成は、上述のキッチン台２０１のそれと同様である。
【００７８】
キッチン台３０１に備えられたタオル挟みこみ防止装置６の構成は、上述のキッチン台２０１に備えられているタオル挟みこみ防止装置６と同様である。キッチン台３０１においては、タオル挟みこみ防止装置６の収納部固定部６３は、開き戸３０３１に取付けられている。
【００７９】
収納部固定部６３を、開き戸３０３１のどの部分に取り付けるかは、とくに限定されるものではないが、この例では、開き戸３０３１の上端に取付けるよう構成している。もちろん、収納部固定部６３を、開き戸６０３１の高さ方向の中間部分に取付けるよう構成することもできる。
【００８０】
キッチン台３０１におけるタオル挟みこみ防止装置６の動作は、上述のキッチン台２０１におけるそれと同様であるので、説明を省略する。
【００８１】
なお、キッチン台２０１及びキッチン台３０１においては、タオル挟みこみ防止装置の回転力付与部が、筒状回転体と収納部との間に設けられた弾性部材を備えた場合を例に説明したが、回転力付与部の構成はこれに限定されるものではない。
【００８２】
たとえば、回転力付与部として、電動モータを備えた構成とすることができる。この場合、たとえば、収納部の開閉を検知するセンサを設けておき、センサにより収納部が開状態にあることが検知されると、モータを駆動し、モータの回転力を利用して筒状回転体を回動させるよう構成することができる。
【００８３】
また、たとえば、回転力付与部として、重錘を備えた構成とすることができる。この場合、たとえば、筒状回転体に巻き付けた紐を介して重錘を吊るしておき、重錘に作用する重力を利用することで、筒状回転体に、図７または図８におけるＲ１方向の回転力を付与するよう構成することができる。
【００８４】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【符号の説明】
【００８５】
１                      ：キッチン台
３                      ：引出し
４                      ：タオル掛止具
５                      ：タオル挟みこみ防止装置
９                      ：タオル
５１                    ：タオル結合部
５２                    ：弾性部材
５３                    ：収納部固定部
【図１】
2019097715.tif 000003
【図２】
2019097715.tif 000004
【図３】
2019097715.tif 000005
【図４】
2019097715.tif 000006
【図５】
2019097715.tif 000007
【図６】
2019097715.tif 000008
【図７】
2019097715.tif 000009
【図８】
2019097715.tif 000010